(57)【要約】被洗浄物（１３）を収容する食器かご（６）と、食器かご（６）を収容する洗浄槽（２）と、洗剤を供給する洗剤供給装置（１６）と、制御部（３６）を備える。洗剤供給装置（１６）は、開口部を有し、回動可能に設けられる洗剤容器（１７）と、洗剤容器（１７）に収容される洗剤が放出される状態へ洗剤容器（１７）を回動させる回動機構と、予洗いステップにおいて、開口部を閉塞する蓋部（３１）を有する。これにより、予洗いステップにおいては、洗剤容器（１７）内への水の浸入を防止し、洗いステップにおいては、簡略な構成で確実に洗剤を供給できる。
2019163334.tif 000002
【特許請求の範囲】
【請求項１】
被洗浄物を収容する食器かごと、
前記食器かごを収容する洗浄槽と、
前記洗浄槽内に洗剤を供給する洗剤供給装置と、
少なくとも、予洗いステップ、洗いステップおよびすすぎステップを含む洗浄運転を制御する制御部と、を備え、
前記洗剤供給装置は、
開口部を有し、回動可能に設けられる洗剤容器と、
前記予洗いステップにおいて、
前記開口部を閉塞する蓋部と、
前記洗剤容器に収容された洗剤が放出される状態へ前記洗剤容器を回動させる回動機構と、を有する、
食器洗い機。
【請求項２】
前記回動機構は、
前記洗剤容器の前記開口部を前記上向き状態で係止する係止部と、
前記係止部と連係され、前記洗剤容器に収容される前記洗剤が放出される状態へ前記洗剤容器を回動させる駆動部と、
前記洗剤容器が回動可能に支持される軸部と、を有し、
前記制御部は、
前記所定の洗剤供給のタイミングで、前記駆動部により前記洗剤容器の係止を解除し、前記洗剤容器を前記上向き状態から前記洗剤が放出される状態に回動するように構成される、
請求項１に記載の食器洗い機。
【請求項３】
前記洗剤供給装置は、前記洗剤容器内に注水する注水部を備え、
前記注水部は、
前記洗剤容器に設けられる注水穴と、
前記注水穴を開閉する開閉部と、を有し、
前記開閉部は、前記洗剤容器が、前記洗剤が放出される状態に回動すると、前記注水穴を開くように構成される、
請求項１または請求項２のいずれか１項に記載の食器洗い機。
【請求項４】
前記洗剤供給装置は、
前記洗剤容器の底部に設けられる軸部と、
前記軸部を回動可能に支持する支持部と、を有し、
前記注水穴は、前記洗剤容器の前記底部に設けられる、
請求項３に記載の食器洗い機。
【請求項５】
前記注水部に、洗浄経路から分岐した注水経路を設ける、
請求項３または請求項４のいずれか１項に記載の食器洗い機。
【請求項６】
前記注水部に、給水経路から分岐した注水経路を設ける、
請求項３または請求項４のいずれか１項に記載の食器洗い機。
【請求項７】
筐体内に出し入れ可能に設けられ、上面に上面開口部を有する前記洗浄槽と、
前記洗浄槽が前記筐体内に収容されたときに、前記上面開口部を閉塞する内蓋と、を有し、
前記洗剤容器の前記開口部を閉塞する前記蓋部は、前記内蓋に設けられる、
請求項１から請求項６のいずれか１項に記載の食器洗い機。
【請求項８】
前記洗剤容器は、
前記開口部の周縁に立設された第１のリブと、
前記第１のリブの外側に設けられる延長部と、を有し、
前記蓋部は、前記第１のリブを外側から囲むように形成される、第２のリブを有する、
請求項７に記載の食器洗い機。
【請求項９】
前記洗剤容器の前記開口部は、前記洗浄槽の前記上面開口部の近傍に設けられる、
請求項７または請求項８のいずれか１項に記載の食器洗い機。
【発明の詳細な説明】
【技術分野】
【０００１】
本発明は、洗浄水を用いて、食器などを洗浄する食器洗い機に関する。
【背景技術】
【０００２】
食器などを洗浄する食器洗い機は、洗浄ポンプによって加圧された洗浄水を、洗浄ノズルの噴射口から食器に向けて噴射し、食器に付着した汚れを洗い流して洗浄する構成が一般的である。このとき、洗剤を含む洗浄水で洗う、洗いステップの前に、洗剤を含まない洗浄水で、被洗浄物に付着する大まかな汚れを落とす、予洗いを行い、洗浄効果を高めることが考えられている。つまり、洗いステップは、予洗いステップに続いて実行される。そのため、洗いステップで供給される洗剤は、予め、運転の開始前に、洗剤供給装置に入れられる。そして、予洗いステップが実行された後に、洗剤供給装置によって、洗剤が供給される（例えば、特許文献１参照）。【０００３】
上記特許文献１に記載の食器洗浄機は、図１１および図１２に示すように、洗剤７１を入れる容器７２に、軸部７３を中心として回転可能に取り付けられる遮蔽部材７４を備える。遮蔽部材７４は、予洗いステップにおいて、洗剤７１の入った容器７２を遮蔽した状態で、容器７２に係止される。そして、洗いステップにおいて、遮蔽部材７４を矢印方向へ回転させて、容器７２を開放する。これにより、容器７２内の洗剤７１を洗浄槽へ放出するように構成している。【０００４】
また、洗剤を貯留する貯留室に、洗剤補充口を開閉する洗剤補充蓋と、洗剤供給口を開閉する洗剤供給蓋を設ける。そして、洗いステップにおいて、洗剤補充蓋と洗剤供給蓋を開いて、洗剤を水で流し込む構成も考えられている（例えば、特許文献２参照）。【０００５】
しかしながら、上記構成の場合、洗いステップで供給される洗剤は、予洗いステップを実行している間、洗剤供給装置内に保持される。そのため、予洗いステップにおいて、洗剤が水分を含むと、洗剤供給装置内から洗剤が放出されにくくなる。そこで、従来の構成の食器洗浄機は、洗剤供給装置へ、振動を付与する方法や、水を流し込むなどにより、洗剤を放出する方法が考えられている。しかし、これらの方法の場合、構成が複雑になる。
【先行技術文献】
【特許文献】
【０００６】
【特許文献１】特開２０００−３００４９８号公報
【特許文献２】特開２００５−１３１０５４号公報
【発明の概要】
【０００７】
本発明は、予洗いステップにおいて、洗剤容器内への水の浸入を防止し、洗いステップにおいて、簡略な構成で確実に洗剤を供給できる食器洗い機を提供する。
【０００８】
本発明の食器洗い機は、被洗浄物を収容する食器かごと、食器かごを収容する洗浄槽と、洗浄槽内に洗剤を供給する洗剤供給装置と、少なくとも、予洗いステップ、洗いステップおよびすすぎステップを含む洗浄運転を制御する制御部を備える。洗剤供給装置は、開口部を有し回動可能に設けられる洗剤容器と、予洗いステップにおいて、開口部を閉塞する蓋部と、洗剤容器に収容される洗剤を放出する状態へ洗剤容器を回動させる回動機構と、を有する。
【０００９】
この構成により、予洗いステップにおいては、洗剤容器内への水の浸入を防止できる。また、洗いステップにおいては、洗剤容器内の洗剤を洗浄槽内に放出する状態へ、洗剤容器を回動する。これにより、簡略な構成で確実に洗剤を供給できる食器洗い機が実現される。
【図面の簡単な説明】
【００１０】
【図１】図１は、本発明の実施の形態１における食器洗い機の要部断面を示す図である。
【図２】図２は、同食器洗い機の洗浄槽内の要部斜視図である。
【図３】図３は、同食器洗い機の洗剤供給装置の斜視図である。
【図４】図４は、同食器洗い機の洗剤供給装置の洗剤容器の平面図である。
【図５Ａ】図５Ａは、同食器洗い機の洗剤容器の開口部が上向き状態の要部側面図である。
【図５Ｂ】図５Ｂは、同洗剤容器の開口部が上向き状態における左右方向の要部断面図である。
【図６】図６は、同食器洗い機の洗剤供給装置の洗剤が放出される状態の斜視図である。
【図７Ａ】図７Ａは、同食器洗い機の洗剤容器から洗剤が放出される状態への動作を示す要部側面図である。
【図７Ｂ】図７Ｂは、同洗剤容器から洗剤が放出される状態における左右方向の要部断面図である。
【図８】図８は、同食器洗い機の洗剤供給装置の要部斜視図である。
【図９】図９は、同食器洗い機の洗剤供給装置の洗剤容器の開口部が蓋部で覆われた状態における左右方向の要部断面図である。
【図１０】図１０は、本発明の実施の形態２における食器洗い機の移動部が筐体から引き出された状態の斜視図である。
【図１１】図１１は、従来の食器洗浄機の洗剤供給装置の斜視図である。
【図１２】図１２は、同食器洗浄機の洗剤供給装置の断面図である。
【発明を実施するための形態】
【００１１】
以下、本発明の実施の形態について、図面を参照しながら説明する。なお、この実施の形態によって本発明が限定されるものではない。
【００１２】
（実施の形態１）
以下、本発明の実施の形態１の食器洗い機について、図１から図９を参照しながら、説明する。
【００１３】
図１は、本発明の実施の形態１における食器洗い機の要部断面を示す図である。詳細には、図１は、食器洗い機がシステムキッチンＳＫにビルトインされた状態を示している。図２は、同食器洗い機の洗浄槽内の要部斜視図である。図３は、同食器洗い機の洗剤供給装置の斜視図である。図４は、同食器洗い機の洗剤供給装置の洗剤容器の平面図である。図５Ａは、同食器洗い機の洗剤容器の開口部が上向き状態の要部側面図である。図５Ｂは、同食器洗い機の洗剤容器の開口部が上向き状態における左右方向の要部断面図である。図６は、同食器洗い機の洗剤供給装置の洗剤が放出される状態の斜視図である。図７Ａは、同食器洗い機の洗剤容器から洗剤が放出される状態への動作を示す要部側面図である。図７Ｂは、同食器洗い機の洗剤容器から洗剤が放出される状態における左右方向の要部断面図である。図８は、同食器洗い機の洗剤供給装置の要部斜視図である。図９は、同食器洗い機の洗剤供給装置の洗剤容器の開口部が蓋部で覆われた状態における左右方向の要部断面図である。
【００１４】
図１から図９において、実施の形態１の食器洗い機は、筐体１と、洗浄槽２と、洗浄ポンプ３と、給水弁４と、扉体５などを含む。なお、以降の実施の形態において、図中に示すように、前方は扉体５および洗浄槽２が引き出される方向、後方は洗浄槽２が収容され扉体５が閉じられる方向として、説明する。また、食器洗い機の設置側を下方、反対側を上方とし、さらに、扉体５の正面に向かって右側を右方、左側を左方として、説明する。
【００１５】
筐体１は、図１に示すように、前面に前面開口部１ａを有する。洗浄槽２は、内部に、食器かご６と、洗浄ノズル７と、排水口８と、残さいフィルタ９などを含む。洗浄槽２は、筐体１の内部に、前後方向に出し入れ可能に設けられる。洗浄槽２は、上面に上面開口部２ａを有する。上面開口部２ａは、洗浄槽２が筐体１内に収容されると、筐体１内に配設される内蓋１０で閉塞される。内蓋１０は、洗浄槽２の出し入れと連動して、リンク機構１１により上下動する。上面開口部２ａは、周縁に、例えば変形可能な中空状のゴムチューブで形成される、シール部１２が配設される。シール部１２は、洗浄槽２が筐体１内に収容された際に、下降する内蓋１０により圧縮される。これにより、上面開口部２ａが、シール部１２で密閉される。
【００１６】
食器かご６は、食器などの被洗浄物１３が載置される。扉体５は、洗浄槽２の前部に設けられ、収容時に、筐体１の前面を覆う。給水弁４は、筐体１内部の後部の給水経路３０に設けられる。給水弁４を開放することにより、洗浄水となる、例えば水道水が洗浄槽２に供給される。洗浄ポンプ３は、筐体１内の底面に配設される。洗浄ノズル７は、洗浄槽２内の底面側に設けられる。洗浄ポンプ３は、洗浄水を洗浄ノズル７に圧送する。洗浄ノズル７は、圧送された洗浄水の噴出により回転しながら、被洗浄物１３に向けて洗浄水を噴射する。つまり、洗浄ポンプ３は、洗浄槽２内に溜められた洗浄水を加圧して、洗浄ノズル７に供給する。洗浄ノズル７から噴射された洗浄水は、被洗浄物１３に衝突して、被洗浄物１３に付着する汚れを落とす。これにより、被洗浄物１３の洗浄が行われる。なお、洗浄水は、洗剤を含んで被洗浄物１３に噴射される洗浄液と、被洗浄物１３をすすぐためのすすぎ水と、を含む。
【００１７】
排水口８は、洗浄槽２内の底部に設けられる。残さいフィルタ９は、排水口８に着脱自在に配設され、被洗浄物１３から洗浄、除去された、残さいを捕集する。ヒータ１４は、洗浄槽２内の底部に溜められる洗浄水中に没するように配設される。ヒータ１４は、洗いステップにおいて、洗浄槽２内に溜められた洗浄水を加熱する。ヒータ１４は、乾燥ステップにおいて、洗浄槽２内の乾燥用空気を加熱する。温度センサ１５は、例えば洗浄槽２の底面外側に配設され、洗浄槽２の温度を検知する。温度センサ１５は、例えばサーミスタなどで構成される。
【００１８】
なお、洗浄ポンプ３は、吸い込み側が排水口８に連通され、残さいフィルタ９で残さいが除去された洗浄水を循環させる。さらに、洗浄ポンプ３は、循環時におけるモータの回転方向を反転させることにより、残さいが除去された洗浄水を排水可能に構成される。
【００１９】
洗剤供給装置１６は、扉体５と対向する洗浄槽２の側面に配設され、洗浄槽２内に洗剤を供給する。洗剤供給装置１６は、所定量の洗剤が収容される洗剤容器１７と、洗剤容器１７を洗浄槽２内で支持する供給装置本体１８などを含む。洗剤容器１７は、底部１７ａに、洗浄槽２の前方側の側面と平行に、左右方向に設けられる軸部１９を有する。洗剤容器１７は、軸部１９を介して、供給装置本体１８に設けられる支持部２０によって、回動可能に支持される。つまり、洗剤容器１７は、軸部１９を中心として、図２に示す矢印Ａ方向へ回動可能に配設される。
【００２０】
洗剤容器１７は、底部１７ａ、壁面１７ｂ、開口部２１などを有する。開口部２１は、略四角形（四角形を含む）の形状で、洗剤が投入可能に形成される。壁面１７ｂは、洗剤容器１７の底部１７ａから開口部２１に向かう、少なくとも回動方向側の位置に配設される。つまり、壁面１７ｂは、開口部２１に向かって外側へ広がるように傾斜して設けられる。
【００２１】
また、洗剤容器１７は、開口部２１を上向き状態で保持するための、係合部２２を備える。一方、供給装置本体１８は、洗剤容器１７の係合部２２と嵌合する係止部２３を備える。係合部２２は、供給装置本体１８に、矢印Ｂ方向（左方）（図４参照）へ可動可能に設けられる。このとき、係合部２２と係止部２３の嵌合部分は、例えば略Ｖ字状（Ｖ字状を含む）の凹凸状で形成される。
【００２２】
洗剤供給装置１６は、供給装置本体１８に設けられる、回動機構を構成する駆動部２４を有する。回動機構は、係合部２２、係止部２３および連結部２５なども含む。駆動部２４は、連結部２５を介して、供給装置本体１８の係止部２３と連係される。
【００２３】
駆動部２４は、例えばソレノイドコイルを有する電磁機構２６で構成される。ソレノイドコイルへの通電により、連結部２５が、図３に示す矢印Ｃ方向（左方）へ移動する。このとき、連結部２５と連結される係止部２３の軸２３ａは、連結部２５と連動して矢印Ｄ方向へ回動する。これにより、供給装置本体１８の係止部２３は、矢印Ｂ方向（右方）へ移動し、洗剤供給装置１６の係合部２２から離脱する。
【００２４】
このとき、洗剤容器１７は、軸部１９に配設される、例えば、ばね（図示せず）により、開口部２１が下向き状態になる方向（図６参照）へ、回動するように付勢されている。そのため、供給装置本体１８の係止部２３が、洗剤容器１７の係合部２２から離脱すると、洗剤容器１７は、ばねの付勢力によって、矢印Ａ方向（図２および図７Ａ参照）へ、回動する。そして、洗剤容器１７が回動すると、洗剤容器１７の下側に位置する壁面１７ｂは、開口部２１に向かって低くなるように傾斜する。これにより、洗剤容器１７内の洗剤は、下方に傾斜した壁面１７ｂを、図７Ａに示す矢印Ｅ方向へ滑り落ちて、洗浄槽２内へ放出される。このとき、ばねの付勢力は、洗剤容器１７を矢印Ａ方向へ回動させ、洗剤が放出される状態にするように、最適に設定される。
【００２５】
なお、ばねによる付勢は、必ずしも必要ではない。例えば、洗剤容器１７自体の重心の位置が回動側に配置される形状で、洗剤容器１７を構成してもよい。また、洗剤容器１７の回動側に、例えば錘などを付加して、偏荷重になるように、洗剤容器１７を構成してもよい。これらにより、係止部２３が係合部２２から離脱すると、洗剤容器１７は、自重で、図７Ａに示す矢印Ａ方向へ回動し、洗剤が放出される。
【００２６】
ここで、洗剤容器１７の下向き状態とは、洗剤容器１７に収容された洗剤が洗剤容器１７から放出される（落下する）状態を意味する。つまり、本実施の形態では、洗剤容器１７から洗剤が放出される状態へ回動すると、洗剤容器１７の壁面１７ｂが開口部２１に向かって低くなるように下方に傾斜する。そのため、洗剤容器１７内の洗剤は、傾斜した壁面１７ｂを滑り落ちる。なお、洗剤容器１７の開口部２１の開口面が、略垂直（垂直を含む）な縦向きであっても、洗剤を放出可能な構成を含む。
【００２７】
また、洗剤供給装置１６は、図５Ａ、図５Ｂ、図７Ａおよび図７Ｂに示すように、洗剤容器１７内に注水する注水部２７を有する。注水部２７は、洗剤容器１７の底部に設けられる注水穴２７ａと、注水穴２７ａを開閉する開閉部２７ｂとを含む。開閉部２７ｂは、洗剤容器１７が回動自在に枢着される供給装置本体１８に設けられる。そして、洗剤容器１７の開口部２１が下向き状態（洗剤が放出される状態）に回動すると、開閉部２７ｂで閉じられている注水穴２７ａが開かれる。
【００２８】
供給装置本体１８は、注水部２７と連通する注水経路２８を有する。注水経路２８は、洗浄ポンプ３から洗浄ノズル７に至る洗浄経路２９から分岐して設けられる。なお、注水経路２８は、給水弁４から洗浄槽２に至る給水経路３０から分岐して設けてもよい。
【００２９】
洗剤容器１７の開口部２１（図２参照）は、上向き状態において、図１に示すように、洗浄槽２の前方側の側面で、上面開口部２ａの開口面に近い位置に配置される。そして、洗浄槽２が筐体１内に収容された際、洗剤容器１７の上向き状態の開口部２１を閉塞する蓋部３１が、内蓋１０に設けられる。
【００３０】
洗剤容器１７は、開口部２１の周縁に立設される第１のリブ３２と、洗剤容器１７の側壁から外側へ延設される庇状の延長部３３などを、さらに含む。延長部３３は、上面に、溝３４を有する。溝３４は、第１のリブ３２の外周に沿って下方へ窪んで形成される。延長部３３と溝３４は、第１のリブ３２の外周に沿って、例えば略Ｕ字状（Ｕ字状を含む）に設けられる。内蓋１０の蓋部３１は、下向きに、立設して形成される第２のリブ３５を有する。第２のリブ３５は、図９に示すように、第１のリブ３２を外側から囲むように設けられる。洗剤容器１７の延長部３３と、蓋部３１の第２のリブ３５は、洗剤容器１７の開口部２１を閉塞した状態において、洗浄ノズル７から噴射される洗浄水を遮り、洗剤容器１７内への浸入を防止する。
【００３１】
また、溝３４の端部３４ａは、扉体５側が開放される。これにより、溝３４を伝う水は、端部３４ａから洗浄槽２内へ落下するため、溝３４への水の滞留が防止される。
【００３２】
制御部３６は、図１に示すように、扉体５の内側に配設され、食器洗い機の洗浄運転を制御する。具体的には、制御部３６は、被洗浄物１３に付着する大まかな汚れを落とす予洗いステップ、被洗浄物１３を洗う洗いステップ、および、被洗浄物１３に付着した洗剤および残さいを流す、すすぎステップなどを、逐次制御し、洗浄運転を実行する。
【００３３】
以上のように、本実施の形態の食器洗い機は構成される。
【００３４】
つぎに、上記構成を備える食器洗い機の動作について、説明する。
【００３５】
まず、使用者は、扉体５のハンドル５ａを把持して、食器洗い機の筐体１から洗浄槽２を引き出す。このとき、内蓋１０は、洗浄槽２の引き出し動作に連動してリンク機構１１により上昇し、洗浄槽２の上面開口部２ａから離れる。
【００３６】
つぎに、使用者は、洗浄槽２の上面開口部２ａから食器などの被洗浄物１３を食器かご６にセットする。また、使用者は、開口部２１が下向き状態の洗剤容器１７を、ばねの付勢力に抗して手動で上向き状態に回動する。このとき、洗剤容器１７の係合部２２に、供給装置本体１８の係止部２３が係止される。これにより、洗剤容器１７は、開口部２１が上向き状態で保持される。そして、使用者は、開口部２１が上向き状態の洗剤容器１７に所定量の洗剤を投入する。
【００３７】
つぎに、使用者は、洗浄槽２を筐体１内に押し込んで、扉体５で、筐体１の前面開口部１ａを閉じる。このとき、内蓋１０は、洗浄槽２の押し込み動作に連動してリンク機構１１により下降する。これにより、内蓋１０でシール部１２が圧縮され、洗浄槽２の上面開口部２ａが密閉される。
【００３８】
つぎに、使用者は、制御部３６に接続される操作部（図示せず）を介して、運転コースを設定し、開始ボタン（図示せず）を操作して、洗浄運転を開始する。これにより、制御部３６は、設定された運転コースに基づいて、食器洗い機の洗浄運転を実行する。
【００３９】
以下に、制御部３６で順次実行される、予洗いステップ、洗いステップ、すすぎステップ、および、被洗浄物１３を乾燥させる乾燥ステップについて、より詳細に説明する。
【００４０】
はじめに、予洗いステップについて、説明する。
【００４１】
予洗いステップにおいて、まず、制御部３６は、給水弁４を動作させて、所定量の洗浄水を洗浄槽２に供給する。このとき、洗剤が入れられている洗剤容器１７の開口部２１は、内蓋１０の蓋部３１によって上向き状態で閉塞されている。そのため、洗剤容器１７内の洗剤は、洗浄槽２内には供給されない。
【００４２】
給水が完了すると、制御部３６は、給水弁４を閉じ、洗浄ポンプ３を駆動する。洗浄ポンプ３は、洗浄水を洗浄ノズル７に圧送する。これにより、洗浄槽２の底部の近傍に配設される洗浄ノズル７から、洗剤を含まない洗浄水が被洗浄物１３に向けて噴射される。
【００４３】
このとき、洗浄ポンプ３で加圧された洗浄水の一部は、洗浄ポンプ３から洗浄ノズル７に至る洗浄経路２９から分岐して設けられる注水経路２８を流れる。しかし、予洗いステップにおいて、注水部２７の注水穴２７ａは、開閉部２７ｂによって閉じられている。そのため、注水経路２８と連通する注水部２７に到達した洗浄水は、洗剤容器１７内に流入することなく、図５Ｂに示す矢印Ｆ方向へ流れて、洗浄槽２内に戻される。なお、予洗いステップは、通常、常温の水を使用して実行される。
【００４４】
一方、洗浄ノズル７から噴射される水は、洗剤容器１７に形成される延長部３３、および蓋部３１に形成される第２のリブ３５に当たる。このとき、第２のリブ３５で遮られて下方へ流れる水は、溝３４を、図８に示す矢印Ｇ方向へ伝って流れ、溝３４の端部３４ａから洗浄槽２内へ落下する。これにより、予洗いステップにおいて、洗剤容器１７内への水の浸入が、防止される。
【００４５】
その後、制御部３６は、予洗いステップを所定時間（例えば、２０分程度）、実行する。そして、所定時間が経過すると、制御部３６は、予洗いステップにおける洗浄ポンプ３のモータの回転方向を、反転させる。これにより、洗浄槽２内の汚れを含む洗浄水が、排水口８から筐体１外へ排水される。
【００４６】
以上により、予洗いステップが完了する。
【００４７】
つぎに、予洗いステップに続いて実行される洗いステップについて、説明する。
【００４８】
洗いステップにおいて、まず、制御部３６は、給水弁４を動作させて、所定量の洗浄水を、再び、給水経路３０を通して洗浄槽２に供給する。そして、制御部３６は、駆動部２４の電磁機構２６の動作により洗剤容器１７を回動させて、洗剤容器１７に入れられた洗剤を洗浄槽２に供給する。つまり、電磁機構２６のソレノイドコイルは、通電されると、図３に示すように、連結部２５が矢印Ｃ方向（左方）へ移動する。同時に、連結部２５と連結される係止部２３の軸２３ａは、連結部２５の動作と連動して、矢印Ｄ方向へ回動する。これにより、供給装置本体１８の係止部２３は、矢印Ｂ方向（右方）へ移動して、洗剤容器１７の係合部２２から離脱する。
【００４９】
そして、洗剤容器１７の係合部２２が供給装置本体１８の係止部２３から離脱すると、軸部１９に配設される、ばねの付勢力を受けて、洗剤容器１７は、後方下方に向かって、回動する。つまり、洗剤容器１７は、開口部２１が上向き状態から、軸部１９（図７Ｂ参照）を中心として、図７Ａに示す矢印Ａ方向へ回動する。そして、洗剤容器１７の開口部２１は、蓋部３１から離脱して下向き状態となる。これにより、洗剤容器１７内の洗剤は、傾斜した壁面１７ｂを、矢印Ｅ方向へ滑り落ちて、洗浄槽２内へ放出される。
【００５０】
給水が完了すると、制御部３６は、給水弁４を閉じ、洗浄ポンプ３を駆動する。洗浄ポンプ３は、洗浄水を洗浄ノズル７に圧送する。これにより、洗浄槽２の底部近傍に配設される洗浄ノズル７から、洗剤を含む洗浄水が被洗浄物１３に向けて噴射される。
【００５１】
このとき、洗浄ポンプ３で加圧された洗浄水の一部は、洗浄ポンプ３から洗浄ノズル７に至る洗浄経路２９から分岐して設けられる注水経路２８を流れる。そして、注水経路２８と連通する注水部２７に到達した洗浄水は、洗剤容器１７の後方下方への回動により開かれた注水穴２７ａから、洗剤容器１７内へ、図７Ｂに示す矢印Ｈ方向から流入する。これにより、洗剤容器１７の側方から洗剤容器１７の内部に流入した洗浄水は、開口部２１から洗浄槽２へ流出する。そのため、流入した洗浄水により、例え、洗剤容器１７内に洗剤が残留していても、洗剤が残ることなく、確実に洗浄槽２に流し出される。
【００５２】
なお、注水経路２８は、給水弁４から洗浄槽２に至る給水経路３０から分岐して設けてもよい。この場合、洗いステップおよびすすぎステップの給水時において、洗剤容器１７の後方下方への回動により開かれた注水穴２７ａから、洗剤容器１７内に水が流入する。これにより、洗剤容器１７内に洗剤が残ることなく、より確実に、洗浄槽２内に流し出される。
【００５３】
つぎに、制御部３６は、洗浄ノズル７から洗浄水を噴射しながら、ヒータ１４に通電し、洗浄水を、所定の温度まで加熱する。このとき、制御部３６は、温度センサ１５により、洗浄槽２の底面の壁を介して、洗浄水の温度を検知する。そして、制御部３６は、検知した温度情報に基づいて、洗浄水が所定の温度となるように制御する。
【００５４】
洗浄ノズル７から噴射された洗浄水は、被洗浄物１３の汚れを洗浄し、残さいフィルタ９と排水口８を通過して、再度、洗浄ポンプ３に吸い込まれる。洗浄ポンプ３は、吸い込んだ洗浄水を圧送し、洗浄ノズル７に洗浄水を、再度、供給する。洗浄水は、上記のように、繰り返し循環し、被洗浄物１３を洗浄する。
【００５５】
その後、制御部３６は、洗いステップを所定時間（例えば、３０分程度）、実行する。そして、所定時間が経過すると、制御部３６は、洗いステップにおける洗浄ポンプ３のモータの回転方向を、反転させる。これにより、洗浄槽２内の汚れを含む洗浄水が、排水口８から筐体１外へ排水される。
【００５６】
以上により、洗いステップが完了する。
【００５７】
つぎに、洗いステップに続いて実行されるすすぎステップについて、説明する。
【００５８】
すすぎステップにおいて、まず、制御部３６は、給水弁４を動作させて、新たに所定量の洗浄水を、再び、給水経路３０を通して洗浄槽２に供給する。そして、制御部３６は、洗いステップと同様に、洗浄ポンプ３を駆動し、洗浄ノズル７から洗浄水を被洗浄物１３に向けて噴射する。これにより、被洗浄物１３に残留する洗剤および残さいなどを、洗浄水で洗い流す。このとき、洗浄水の排水、すすぎ、洗浄水の供給などのすすぎ動作は、複数回（例えば、２回〜３回）、繰り返し実行される。
【００５９】
以上により、すすぎステップが完了する。
【００６０】
つぎに、制御部３６は、すすぎステップが終了すると、続いて、乾燥ステップを実行する。
【００６１】
具体的には、制御部３６は、ヒータ１４で洗浄槽２内の空気を加熱する。そして、加熱した空気をファン（図示せず）により送風して、被洗浄物１３を乾燥させる。その後、制御部３６は、乾燥ステップを所定時間（例えば、３０分）行い、乾燥ステップを終了する。
【００６２】
以上により、食器洗い機の洗浄運転が終了する。
【００６３】
このとき、運転終了後、被洗浄物１３を洗浄槽２から取り出す際に、洗剤が放出された下向き状態の洗剤容器１７を、ばねの付勢力に抗して、手動で回動し、開口部２１を上向き状態に保持することが好ましい。これにより、次回の食器洗い機の使用時における利便性が向上する。
【００６４】
なお、上記実施の形態では、洗剤供給装置１６の洗剤容器１７を回動させる回動機構を、係合部２２、係止部２３、駆動部２４および連結部２５などから構成し、駆動部２４を、ソレノイドコイルを有する電磁機構２６で構成する例で説明したが、これに限られない。例えば、ソレノイドコイルに代えて、モータを利用してもよい。また、連結部２５を利用した回動機構ではなく、例えば洗剤容器１７の軸部１９にモータを組み込んで、洗剤容器１７を、直接、モータで回動させる構成としてもよい。
【００６５】
以上のように、本実施の形態の食器洗い機は、被洗浄物１３を収容する食器かご６と、食器かご６を収容する洗浄槽２と、洗浄槽２内に洗剤を供給する洗剤供給装置１６と、少なくとも、予洗いステップ、洗いステップおよびすすぎステップを含む洗浄運転を制御する制御部３６を備える。洗剤供給装置１６は、開口部２１を有し回動可能に設けられる洗剤容器１７と、洗剤容器１７の開口部２１を上向き状態で保持するとともに、洗剤容器１７に収容される洗剤を放出する状態へ洗剤容器１７を回動させる駆動部２４などの回動機構と、予洗いステップ時に、開口部２１を閉塞する蓋部３１を有する。そして、制御部３６は、回動機構により、所定の洗剤供給のタイミングで、洗剤容器１７を上向き状態から洗剤が放出される状態に回動するように構成される。
【００６６】
この構成により、予洗いステップにおいては、洗剤容器１７内への水の浸入を防止できる。また、洗いステップにおいては、洗剤容器１７内の洗剤が放出される状態、すなわち、洗剤容器１７から洗剤が落下する状態へ、洗剤容器１７を回動させる。これにより、洗剤容器１７内の洗剤が、洗浄槽２内へ放出される。その結果、簡略な構成で確実に洗剤を、洗浄槽２内に供給できる。
【００６７】
また、洗剤容器１７自体の回転動作により、遠心力が洗剤に作用する。そのため、洗剤が、洗剤容器１７内に残りにくく、確実に洗剤を、洗浄槽２へ放出できる。さらに、洗剤容器１７は、洗いステップおよびすすぎステップにおいて、洗剤容器１７の開口部２１が下向き状態で開放される。そのため、洗浄ノズル７から噴射される水によって、洗剤容器１７内が洗浄される。これにより、洗剤容器１７内を、清浄な状態に維持できる。
【００６８】
また、本実施の形態では、回動機構は、洗剤容器１７の開口部２１を上向き状態で係止する係止部２３と、係止部２３と連係され洗剤容器１７に収容された洗剤が放出される状態へ洗剤容器１７を回動させる駆動部２４と、洗剤容器１７が回動可能に支持される軸部１９を有する。そして、制御部３６は、所定の洗剤供給のタイミングで駆動部２４により洗剤容器１７の係止を解除し、洗剤容器１７を上向き状態から、洗剤が放出される状態に回動するように構成される。
【００６９】
この構成により、予洗いステップにおいては、洗剤容器１７内への水の浸入を防止できる。また、洗いステップにおいては、洗剤容器１７内の洗剤が放出される状態、すなわち、洗剤容器１７から洗剤が落下する状態へ洗剤容器１７が回動し、洗剤容器１７内の洗剤が洗浄槽２内へ放出される。そのため、簡略な構成で、確実に、洗剤を洗浄槽２に供給できる。さらに、洗剤容器１７自体の回転動作による遠心力が洗剤に作用するため、洗剤容器１７内に、洗剤が残りにくく、かつ、確実に洗剤を放出できる。
【００７０】
また、本実施の形態では、洗剤供給装置１６は、洗剤容器１７内に注水する注水部２７を備え、注水部２７は、洗剤容器１７に設けられる注水穴２７ａと、注水穴２７ａを開閉する開閉部２７ｂを有する。そして、開閉部２７ｂは、洗剤容器１７が、洗剤が放出される状態に回動すると、注水穴２７ａを開くように構成される。
【００７１】
この構成により、洗いステップおよびすすぎステップにおいて、開かれた注水穴２７ａから洗剤容器１７内に水が流入する。そのため、流入した水により、洗剤容器１７内に残る洗剤を洗い流して、より確実に洗浄槽２へ放出できる。特に、被洗浄物１３が大型の調理器具（例えは、鍋やボールなど）の場合、調理器具などによって、洗浄ノズル７から噴射される洗浄水の洗剤容器１７内への流入が遮られる虞がある。しかしながら、直接、注水穴２７ａから洗剤容器１７内へ洗浄水を流入させることにより、洗剤を確実に洗浄槽２に放出できる。さらに、洗剤容器１７の回動によって、注水穴２７ａを開閉するため、開閉部２７ｂの構成を簡略化できる。
【００７２】
また、本実施の形態では、洗剤供給装置１６は、洗剤容器１７の底部１７ａに設けられる軸部１９と、軸部１９を回動可能に支持する支持部２０とを有し、注水穴２７ａは、洗剤容器１７の底部１７ａに設けられる。
【００７３】
この構成により、洗剤容器１７の側方から洗剤容器１７内の底部１７ａへ流入した水は、まず、軸部１９に沿った方向に流れる。その後、水は、洗剤容器１７内を、開口部２１へと向かって流れる。そのため、洗剤容器１７内への洗剤の残留を、より確実に防止して、洗浄槽２に洗剤を放出できる。
【００７４】
また、本実施の形態では、注水部２７に、洗浄経路２９から分岐した注水経路２８が設けられる。
【００７５】
この構成により、洗いステップおよびすすぎステップにおいて、洗浄ポンプ３で加圧される水を、洗剤容器１７内へ流入させることができる。特に、被洗浄物１３が大型の調理器具（例えは、鍋やボールなど）の場合において、調理器具などによって、洗浄ノズル７から噴射される洗浄水の洗剤容器１７内への流入が遮られる虞がある。この場合でも、洗浄経路２９から注水経路２８を通して洗浄水を、直接、洗剤容器１７内へ流入させることができる。
【００７６】
また、本実施の形態では、注水部２７に、給水経路３０から分岐した注水経路２８が設けられる。
【００７７】
この構成により、洗いステップおよびすすぎステップにおいて、給水弁４から給水される水を、洗剤容器１７内へ流入させることができる。特に、被洗浄物１３が大型の調理器具（例えは、鍋やボールなど）の場合、調理器具などによって、洗浄ノズル７から噴射される洗浄水の洗剤容器１７内への流入が遮られる虞がある。この場合でも、給水経路３０から水を、直接、洗剤容器１７内へ流入させることができる。
【００７８】
また、本実施の形態では、筐体１内に出し入れ可能に設けられ、上面に上面開口部２ａを有する洗浄槽２と、洗浄槽２が筐体１内に収容されたときに上面開口部２ａを閉塞する内蓋１０とを有する。そして、洗剤容器１７の上向き状態の開口部２１を閉塞する蓋部３１が、内蓋１０に設けられる。
【００７９】
この構成により、洗浄槽２の出し入れ動作に連動して、洗剤容器１７の開口部２１が開閉される。これにより、使用者が洗剤容器１７に洗剤を入れる際に、洗剤容器１７の開口部２１を蓋で開閉する操作が不要になる。そのため、作業性や操作性などの使い勝手を向上できる。
【００８０】
また、本実施の形態では、洗剤容器１７は、開口部２１の周縁に立設された第１のリブ３２と、第１のリブ３２の外側に設けられた庇状の延長部３３とを有する。そして、蓋部３１は、第１のリブ３２を外側から囲むように形成される、第２のリブ３５を有する。
【００８１】
この構成により、予洗いステップにおいては、洗剤容器１７の開口部２１を蓋部３１で覆うことができる。そして、洗いステップにおいては、蓋部３１から離脱して、洗剤容器１７の開口部２１の下向き状態への回動が可能となる。また、洗浄ノズル７から噴射される水を、延長部３３によって遮ることができる。さらに、第１のリブ３２を外側から囲むように形成される第２のリブ３５によって、洗剤容器１７への水の浸入が遮られる。そして、第２のリブ３５で遮られた水は、延長部３３の上面に形成された溝３４を伝って、洗浄槽２内へ落下させることができる。
【００８２】
また、本実施の形態では、洗剤容器１７の開口部２１は、洗浄槽２の上面開口部２ａの近傍に設けられる。
【００８３】
この構成により、上向き状態の開口部２１を閉塞する蓋部３１を、小型化できる。つまり、蓋部３１を有する内蓋１０は、洗浄槽２が筐体１内に収容された際に、下降して上面開口部２ａを閉塞する。そこで、洗剤容器１７の開口部２１を、洗浄槽２の上面開口部２ａの開口面に近い位置に配置する。これにより、洗浄槽２内で、下方に向かって突出する蓋部３１の高さを、低くできる。
【００８４】
（実施の形態２）
以下、本発明の実施の形態２の食器洗い機について、図１０を参照しながら、説明する。
【００８５】
図１０は、本発明の実施の形態２における食器洗い機の移動部が筐体から引き出された状態の斜視図である。
【００８６】
図１０に示すように、実施の形態２の食器洗い機は、以下の点において、実施の形態１の食器洗い機と異なる。
【００８７】
つまり食器洗い機の洗浄槽５２が、筐体５１の内部と扉体５３の内面とで囲まれる洗浄空間５４で構成される。洗浄空間５４は、筐体５１内に固定して構成される。扉体５３は、支持部材６１とスライドレール６２とを含む支持機構６０によって、前後に移動可能な状態で筐体５１に支持されるように構成される点で、異なる。他の構成は、実施の形態１と同様であるので、実施の形態１を援用し、説明を省略する場合がある。
【００８８】
図１０に示すように、実施の形態２の食器洗い機は、筐体５１、洗浄槽５２、扉体５３、洗浄空間５４などを含む。筐体５１は、前面全体が開口される前面開口部５１ａを有する。洗浄槽５２は、前面開口部５１ａが設けられる筐体５１の内部に形成される。扉体５３は、前面開口部５１ａを覆うように配設される。洗浄空間５４は、洗浄槽５２と扉体５３とで形成される。洗浄空間５４内には、食器などの被洗浄物５５が載置される下食器かご５６および上食器かご５７が、前後に移動可能な状態で配設される。
【００８９】
なお、下食器かご５６および上食器かご５７は、扉体５３に係止されている場合、扉体５３と一緒に、前後方向に移動する。一方、扉体５３との係止が解除されている場合、下食器かご５６および上食器かご５７は、扉体５３に対して、個別に移動する。つまり、実施の形態２では、下食器かご５６および上食器かご５７は、扉体５３と一体的に動く形態と、個別に移動する形態とを有する。
【００９０】
扉体５３は、上面５３ａに設けられる操作部５８を有する。制御部５９は、操作部５８の下方で、扉体５３の内部に設けられる。扉体５３は、支持機構６０を介して、前後方向に移動可能な状態で、筐体５１に支持される。支持機構６０は、支持部材６１とスライドレール６２などを含む。スライドレール６２は、洗浄槽５２の外側下部で、筐体５１の左右両側の内側面に取り付けられる。
【００９１】
支持部材６１は、例えばステンレスなどの金属板で形成され、前端部６１ａが、扉体５３の内側下部に固定される。支持部材６１は、スライドレール６２の第２の可動レール（図示せず）上に固定される。そして、扉体５３が前方に移動するとき、支持部材６１および第２の可動レールは、扉体５３を略垂直（垂直を含む）に支持しながら、第１の可動レール（図示せず）と一体で、前方に移動する。これにより、スライドレール６２が伸長する。
【００９２】
実施の形態２によれば、洗浄槽５２が別体で構成され、付帯装置も移動しない。つまり、移動部は、扉体５３と、下食器かご５６と、上食器かご５７と、洗浄ノズルなどで構成される。そのため、移動部を軽量化できる。
【００９３】
さらに、実施の形態２の食器洗い機は、上述した実施の形態１の食器洗い機の洗剤供給装置１６が、例えば洗浄槽５２の前面の側壁を構成する扉体５３の内側に配設される。
【００９４】
なお、実施の形態２の食器洗い機は、内蓋１０が設けられない。そのため、洗剤供給装置１６の洗剤容器１７の開口部２１を封止する蓋部３１は、図示しないが、開口部２１の上方に、別途、開閉式の蓋部の形態で、設けられる。これにより、実施の形態１の食器洗い機と同様に、洗いステップにおいて、より確実に、洗剤を洗浄槽５２内に供給できる。
【００９５】
さらに、食器洗い機の他の形態としては、実施の形態１および実施の形態２の形態以外に、扉体を上方に回動させて開閉するトップオープン型の構成がある。トップオープン型の食器洗い機においても、上記各実施の形態で開示された洗剤供給装置を、適用することができる。具体的には、例えば扉体の下方に形成される洗浄槽の側壁に、洗剤供給装置が設ける構成とすればよい。
【００９６】
以上で説明したように、本発明の食器洗い機は、被洗浄物を収容する食器かごと、食器かごを収容する洗浄槽と、洗浄槽内に洗剤を供給する洗剤供給装置と、少なくとも、予洗いステップ、洗いステップおよびすすぎステップを含む洗浄運転を制御する制御部を備える。洗剤供給装置は、開口部を有し回動可能に設けられる洗剤容器と、予洗いステップにおいて、開口部を閉塞する蓋部と、洗剤容器に収容された洗剤が放出される状態へ洗剤容器を回動させる回動機構と、を有する。
【００９７】
この構成により、予洗いステップにおいて、洗剤容器内への水の浸入を防止できる。また、洗いステップにおいて、洗剤容器内の洗剤が放出される状態、すなわち、洗剤容器から洗剤が落下する状態へ洗剤容器が回動する。これにより、洗剤容器内の洗剤が、洗浄槽内へ放出される。その結果、簡略な構成で、確実に、洗剤を洗浄槽内に供給できる。また、洗剤容器自体の回転動作により、遠心力が洗剤に作用する。そのため、洗剤が、洗剤容器内に残りにくく、確実に、洗剤を洗浄槽へ放出できる。さらに、洗剤容器は、洗いステップおよびすすぎステップにおいて、洗剤容器の開口部が下向き状態で開放される。そのため、洗浄ノズルから噴射される水によって、洗剤容器内が洗浄される。これにより、洗剤容器内を、清浄な状態に維持できる。
【００９８】
また、本発明の食器洗い機の回動機構は、洗剤容器の開口部を上向き状態で係止する係止部と、係止部と連係され洗剤容器に収容された洗剤が放出される状態へ洗剤容器を回動させる駆動部と、洗剤容器が回動可能に支持される軸部を有する。そして、制御部は、所定の洗剤供給のタイミングで駆動部により洗剤容器の係止を解除し、洗剤容器を上向き状態から、洗剤が放出される状態に回動するように構成してもよい。
【００９９】
この構成により、予洗いステップにおいては、洗剤容器内への水の浸入を防止できる。また、洗いステップにおいては、洗剤容器内の洗剤が放出される状態、すなわち、洗剤容器から洗剤が落下する状態へ洗剤容器が回動し、洗剤容器内の洗剤が洗浄槽内へ放出される。そのため、簡略な構成で、確実に、洗剤を洗浄槽に供給できる。さらに、洗剤容器自体の回転動作による遠心力が洗剤に作用するため、洗剤容器内に、洗剤が残りにくく、確実に洗剤を供給できる。
【０１００】
また、本発明の食器洗い機の洗剤供給装置は、洗剤容器内に注水する注水部を備え、注水部は、洗剤容器に設けられる注水穴と、注水穴を開閉する開閉部を有する。そして、開閉部は、洗剤容器が、洗剤が放出される状態に回動すると、注水穴を開くように構成してもよい。
【０１０１】
この構成により、洗いステップおよびすすぎステップにおいて、開かれた注水穴から洗剤容器内に水が流入する。そのため、流入した水により、洗剤容器内に残る洗剤を洗い流して、より確実に洗浄槽へ放出できる。特に、被洗浄物が大型の調理器具（例えは、鍋やボールなど）の場合において、調理器具などによって、洗浄ノズルから噴射される洗浄水の洗剤容器内への流入が遮られても、洗浄水を、洗剤容器内へ流入させることができる。さらに、洗剤容器の回動によって、注水穴を開閉するため、開閉部の構成を簡略化できる。
【０１０２】
また、本発明の食器洗い機の洗剤供給装置は、洗剤容器の底部に設けられる軸部と、軸部を回動可能に支持する支持部とを有し、注水穴は、洗剤容器の底部に設けられてもよい。
【０１０３】
この構成により、洗剤容器の底部から流入した水は、まず、軸部に沿った方向に流れる。その後、水は、洗剤容器内を、開口部へと向かって流れる。そのため、洗剤容器内への洗剤の残留を、より確実に防止して、洗浄槽２に洗剤を流し込むことができる。
【０１０４】
また、本発明の食器洗い機は、注水部に、洗浄経路から分岐した注水経路を設けてもよい。
【０１０５】
この構成により、洗いステップおよびすすぎステップにおいて、洗浄ポンプで加圧される水を、洗剤容器内へ流入させることができる。特に、被洗浄物が大型の調理器具（例えは、鍋やボールなど）の場合、調理器具などによって、洗浄ノズルから噴射される水の洗剤容器内への流入が遮られる虞がある。この場合、洗浄経路から注水経路を通して水を、直接、洗剤容器内へ流入させることができる。
【０１０６】
また、本発明の食器洗い機は、注水部に、給水経路から分岐した注水経路を設けてもよい。
【０１０７】
この構成により、洗いステップおよびすすぎステップにおいて、給水経路から給水される水を、洗剤容器内へ流入させることができる。特に、被洗浄物が大型の調理器具（例えは、鍋やボールなど）の場合、調理器具などによって、洗浄ノズルから噴射される水の洗剤容器内への流入が遮られる虞がある。この場合でも、給水経路から水を、直接、洗剤容器内へ流入させることができる。
【０１０８】
また、本発明の食器洗い機は、筐体内に出し入れ可能に設けられ、上面に上面開口部を有する洗浄槽と、洗浄槽が筐体内に収容されたときに、上面開口部を閉塞する内蓋を有する。そして、洗剤容器の開口部を閉塞する蓋部は、内蓋に設けられてもよい。
【０１０９】
この構成により、洗浄槽の出し入れ動作に連動して、洗剤容器の開口部が開閉される。これにより、使用者が洗剤容器に洗剤を入れる際に、洗剤容器の開口部を蓋で開閉する操作が不要になる。そのため、作業性や操作性などの使い勝手が向上できる。
【０１１０】
また、本発明の食器洗い機の洗剤容器は、開口部の周縁に立設された第１のリブと、第１のリブの外側に設けられる延長部を有する。そして、蓋部は、第１のリブを外側から囲むように形成される、第２のリブを有していてもよい。
【０１１１】
この構成により、予洗いステップにおいては、洗剤容器の開口部を蓋部で覆うことができる。そして、洗いステップにおいては、蓋部から離脱して、洗剤が放出される洗剤容器の開口部の下向き状態への回動が可能となる。また、洗浄ノズルから噴射される水は、延長部によって遮ることができる。さらに、第１のリブを外側から囲むように形成される第２のリブによって、洗剤容器内への水の浸入を遮ることができる。これにより、第２のリブで遮られた水を、延長部の上面に形成された溝を伝って、洗浄槽内へ落下させることができる。
【０１１２】
また、本発明の食器洗い機の洗剤容器の開口部は、洗浄槽の上面開口部の近傍に設けてもよい。
【０１１３】
この構成により、上向き状態の開口部を閉塞する蓋部を、小型化できる。つまり、蓋部を有する内蓋は、洗浄槽が筐体内に収容された際、下降して上面開口部を閉塞する。そこで、洗剤容器の開口部を、洗浄槽の上面開口部の開口面に近い位置に配置する。これにより、洗浄槽内で、下方に向かって突出する蓋部の高さを、低くできる。
【産業上の利用可能性】
【０１１４】
本発明の食器洗い機は、予洗いステップにおいては、洗剤容器内への水の浸入が防止できる。さらに、洗いステップにおいては、簡略な構成で、確実に、洗剤を供給できる。そのため、洗剤の残留などの抑制が要望される食器洗い機などに有用である。
【符号の説明】
【０１１５】
１    筐体
１ａ，５１ａ    前面開口部
２    洗浄槽
２ａ    上面開口部
３    洗浄ポンプ
４    給水弁
５，５３    扉体
５ａ    ハンドル
６    食器かご
７    洗浄ノズル
８    排水口
９    残さいフィルタ
１０    内蓋
１１    リンク機構
１２    シール部
１３，５５    被洗浄物
１４    ヒータ
１５    温度センサ
１６    洗剤供給装置
１７    洗剤容器
１７ａ    底部
１７ｂ    壁面
１８    供給装置本体
１９，７３    軸部（回動機構）
２０    支持部（回動機構）
２１    開口部
２２    係合部（回動機構）
２３    係止部（回動機構）
２３ａ    軸
２４    駆動部（回動機構）
２５    連結部（回動機構）
２６    電磁機構
２７    注水部
２７ａ    注水穴
２７ｂ    開閉部
２８    注水経路
２９    洗浄経路
３０    給水経路
３１    蓋部
３２    第１のリブ
３３    延長部
３４    溝
３４ａ    端部
３５    第２のリブ
３６，５９    制御部
５１    筐体
５２    洗浄槽
５３ａ    上面
５４    洗浄空間
５６    下食器かご
５７    上食器かご
５８    操作部
６０    支持機構
６１    支持部材
６１ａ    前端部
６２    スライドレール
７１    洗剤
７２    容器
７４    遮蔽部材
【図１】
2019163334.tif 000003
【図２】
2019163334.tif 000004
【図３】
2019163334.tif 000005
【図４】
2019163334.tif 000006
【図５Ａ】
2019163334.tif 000007
【図５Ｂ】
2019163334.tif 000008
【図６】
2019163334.tif 000009
【図７Ａ】
2019163334.tif 000010
【図７Ｂ】
2019163334.tif 000011
【図８】
2019163334.tif 000012
【図９】
2019163334.tif 000013
【図１０】
2019163334.tif 000014
【図１１】
2019163334.tif 000015
【図１２】
2019163334.tif 000016
【国際調査報告】
2019163334.tif 000017
2019163334.tif 000018
2019163334.tif 000019